(57)【要約】【課題】遊技機等の機械の検査等を容易に行うことができる基板収納ケースの取付構造を提供する。【解決手段】基板収納ケース取付位置に形成された基板収納ケース支持部４１に、ケース本体と遮蔽板からなる基板収納ケース７０を取り外し可能に取付ける基板収納ケースの取付構造において、前記基板収納ケース支持部４１と基板収納ケース７０とに、前記基板収納ケース７０が設定保持角度回動した位置で互いに係合して前記基板収納ケース７０を前記設定保持角度で保持する回動規制手段と、前記基板収納ケース７０が設定解除角度回動した位置で前記基板収納ケース７０を取り外すことが可能な係合解除手段とを設け、基板収納ケースの取付収納状態時に遮蔽板とケース本体の係合解除を阻止し、基板収納ケースが取付収納状態から回動した状態時に係合解除を可能に構成した。【選択図】      図２７
2005334526.tif 000002
【特許請求の範囲】
【請求項１】
機械の基板収納ケース取付位置に形成された基板収納ケース支持部に、基板収納ケースを取り外し可能に取付ける基板収納ケースの取付構造において、
前記基板収納ケース支持部には被係合部が形成され、
前記基板収納ケースは、基板を収納するケース本体と前記ケース本体に取り外し可能に取付けられた遮蔽板からなると共に、前記ケース本体と前記遮蔽板には、係合により前記遮蔽板と前記ケース本体を結合し、係合解除により前記遮蔽板と前記ケース本体を分離可能とする遮蔽板結合手段を備え、前記ケース本体と遮蔽板の何れか一方には、前記基板収納ケース支持部の被係合部に解除可能に係合する係合部が形成され、
前記被係合部又は前記係合部の何れか一方には軸部が形成され、他方には前記軸部が挿入されて回動可能に保持すると共に前記軸部を抜くことが可能な抜け部を有する軸受け部が形成され、
前記軸部及び前記軸受け部には、前記基板収納ケースが取付収納状態から設定保持角度回動した位置で互いに係合して前記基板収納ケースを前記設定保持角度で保持する回動規制手段と、前記基板収納ケースが設定解除角度回動した位置で前記軸部が前記抜け部に合致して前記基板収納ケースを取り外すことが可能な係合解除手段とが設けられ、
前記機械の基板収納ケース取付け位置と前記基板収納ケースには、前記基板収納ケースの取付収納状態時に前記遮蔽板結合手段の係合解除を阻止し、前記基板収納ケースが取付収納状態から回動した状態時に前記遮蔽板結合手段の係合解除を可能にする取付収納状態時用遮蔽板結合解除規制手段を備えることを特徴とする基板収納ケースの取付構造。
【請求項２】
前記遮蔽板結合手段は、前記ケース本体と前記遮蔽板に遮蔽板結合用係合部を備え、前記遮蔽板と前記ケース本体の何れか一方を他方に沿って一方向へスライドさせた際に前記遮蔽板結合用係合部が係合し、反対方向へスライドさせた際に前記遮蔽板結合用係合部の係合が解除されるものからなり、
前記取付収納状態時用遮蔽板結合解除規制手段は、前記遮蔽板と前記ケース本体のうち前記遮蔽板結合用係合部を係合する際及び係合を解除する際にスライドされる被スライド側と前記機械の基板収納ケース取付け位置に遮蔽板結合解除規制用係合部を備え、前記基板収納ケースが取付収納状態時には、前記遮蔽板結合解除規制用係合部が係合して前記被スライド側が前記遮蔽板と前記ケース本体の係合解除方向へスライドするのを阻止し、前記基板収納ケースが前記取付収納状態から回動した状態時には、前記遮蔽板結合解除規制用係合部の係合が解除されて前記被スライド側が前記遮蔽板と前記ケース本体の係合解除方向へスライドするのを可能にすることを特徴とする請求項１に記載の基板収納ケースの取付構造。
【請求項３】
前記回動規制手段は、前記基板収納ケースが前記設定保持角度より小の角度位置から角度増加方向への回動に対して前記設定保持角度の位置で前記係合を生じず、前記設定保持角度より大の回動位置から回動角度減少方向への回動に対して前記設定保持角度の位置で前記係合を生じることを特徴とする請求項１又は２に記載の基板収納ケースの取付構造。
【請求項４】
前記軸受け部には、前記軸部を回動可能に保持する軸受け孔を備えると共に、前記軸受け孔の周縁の一部に、前記軸部の通過可能な軸部着脱用開口からなる前記抜け部が前記軸受け孔の内外と通じるように切り欠き形成されており、前記基板収納ケースは前記切り欠き方向に沿って着脱することを特徴とする請求項１から３の何れか一項に記載の基板収納ケースの取付構造。
【請求項５】
前記軸部において前記軸受け孔に挿入される挿入部の直径方向の厚み寸法は、直交する二方向のうち一方向が他方向より小とされ、
前記係合解除手段は、前記軸受け部の軸部着脱用開口が、前記軸部を前記厚み寸法の小の部分で通過可能とする一方、前記厚み寸法の大部分で通過不可とする大きさからなることを特徴とする請求項４に記載の基板収納ケースの取付構造。
【請求項６】
前記基板収納ケース支持部の前記被係合部に前記軸受け部が形成され、前記基板収納ケースの前記係合部に前記軸部が形成されると共に前記軸部の厚み寸法大の方向が、前記基板収納ケースに対して略平行とされ、前記軸部の厚み寸法小の方向が前記基板収納ケースに対して略垂直であることを特徴とする請求項５に記載の基板収納ケースの取付構造。
【請求項７】
前記軸受け部における前記軸部着脱用開口が、前記基板収納ケースの設定保持角度より大の前記設定解除角度の位置に形成されていることを特徴とする請求項６に記載の基板収納ケースの取付構造。
【請求項８】
前記軸部には前記軸受け孔に挿入される挿入部と前記軸受け部に挿入されない非挿入部が前記軸部の長さ方向に隣接して設けられ、
前記回動規制手段は、前記軸部の非挿入部の外周に設けられた軸部側係合爪と、前記軸部の非挿入部の外周に対向するようにして前記軸受け部に形成された弾性片と、前記基板収納ケースを前記設定保持角度回動した際に前記軸部側係合爪と略対向する前記弾性片の位置に形成された軸受け部側係合爪とを備え、
前記軸部側係合爪及び前記軸受け部側係合爪は、前記基板収納ケースが前記設定保持角度より小の角度から大の角度へ回動して前記設定保持角度を超える際に互いに衝突する回動角度増加時衝突面と、前記基板収納ケースが前記設定保持角度より大の角度から小の角度へ回動して前記設定保持角度に至った際に互いに衝突する回動角度減少時衝突面をそれぞれ備え、
前記回動角度増加時衝突面は、前記基板収納ケースが前記設定保持角度より小の角度から大の角度への回動によって前記設定保持角度より小の側から衝突する係合爪が他方の係合爪を乗り越え易いように緩い傾斜で構成され、
前記回動角度減少時衝突面は、前記基板収納ケースが前記設定保持角度より大の角度から小の角度への回動によって前記設定保持角度より大の側から衝突する係合爪が他方の係合爪を乗り越え難いように急な傾斜で構成され、
前記基板収納ケースが前記設定保持角度より大の角度から小の角度方向への回動により前記両係合爪が衝突した後に、前記基板収納ケースに同方向へ更なる大きな回動力が加わった際に、前記弾性片が弾性変形して前記設定保持角度より大の側から衝突する係合爪が他方の係合爪を乗り越えるのを可能に構成されたことを特徴とする請求項４から７の何れか一項に記載の基板収納ケースの取付構造。
【請求項９】
前記基板収納ケースの取付収納状態が上下方向に沿う垂直状態とされ、前記基板収納ケースの設定保持角度が前記取付収納状態に対して略９０度の水平状態であることを特徴とする請求項１から８の何れか一項に記載の基板収納ケースの取付構造。
【請求項１０】
前記基板収納ケース取付位置に取付けられる取付板に、前記基板収納ケース支持部が前記基板収納ケースの幅と略等しい距離離れて一組立設され、
前記基板収納ケースの幅方向両側の上部に前記係合部が一組設けられていることを特徴とする請求項１から９の何れか一項に記載の基板収納ケースの取付構造。
【請求項１１】
前記基板収納ケース取付位置には第２の基板収納ケースが取付けられ、前記第２の基板収納ケースに前記基板収納ケースが第１の基板収納ケースとして積み重なるように配置され、
前記第２の基板収納ケースと前記基板収納ケースには、前記取付収納状態時用遮蔽板結合解除規制手段が設けられていることを特徴とする請求項１から１０の何れか一項に記載の遊技機。
【請求項１２】
前記基板収納ケース取付位置には第２の基板収納ケースが取付けられ、前記第２の基板収納ケースに前記基板収納ケースが第１の基板収納ケースとして積み重なるように配置され、
前記遮蔽板と前記ケース本体において前記遮蔽板結合用係合部を係合する際及び係合を解除する際にスライドされる被スライド側と、前記第２の基板収納ケースとに、前記取付収納状態時用遮蔽板結合解除規制手段が設けられていることを特徴とする請求項２から１１の何れか一項に記載の遊技機。
【請求項１３】
前記機械は遊技領域が形成された遊技盤を備え、前記遊技盤において遊技領域が形成された面とは反対の裏面側に前記第２の基板収納ケースが配置され、少なくとも前記第１の基板収納ケースが前記設定保持角度と等しい位置にあるいは前記設定保持角度より大の側に回動した場合に前記第２の基板収納ケースが一部を軸にして回動可能な構成とされ、前記第２の基板収納ケースが回動された場合に前記遊技盤の裏面側の少なくとも一部が露出することを特徴とする請求項１１又は１２に記載の基板収納ケースの取付構造。
【請求項１４】
前記遮蔽板に前記被係合部に対する前記係合部が形成されていることを特徴とする請求項１から１３の何れか一項に記載の基板収納ケースの取付構造。
【請求項１５】
前記基板収納ケースが予め定められた取付収納位置に配置され、前記取付収納位置から角度増加方向へ回動し、前記設定保持角度を有する固定保持位置で前記基板収納ケースを固定保持することが可能であり、更に前記固定保持位置から角度増加方向へ回動し、前記設定解除角度を有する係合解除位置で前記基板収納ケースを着脱することが可能であり、前記基板収納ケースが前記基板収納ケース支持部の被係合部と前記基板収納ケースの係合部との係合解除位置となる前記設定解除角度とは異なる角度の位置においては前記基板収納ケースの抜けを防止する抜け防止手段が設けられていることを特徴とする請求項１に記載の基板収納ケースの取付構造。
【請求項１６】
前記取付収納位置で前記遮蔽板結合手段による係合解除を阻止することにより前記ケース本体と前記遮蔽板が前記基板収納ケース取付位置に取り付けられ、前記基板収納ケースが前記取付収納位置から角度増加方向へ回動した際に前記遮蔽板結合手段による係合が解除され、前記取付収納位置とは異なる角度の位置において前記遮蔽板と前記ケース本体の分離が可能になることを特徴とする請求項１５に記載の基板収納ケースの取付構造。
【発明の詳細な説明】
【技術分野】
【０００１】
本発明は、ケース本体と遮蔽板からなる基板収納ケースを遊技機などの機械に対して着脱可能にすると共にケース本体と遮蔽板を一体に結合及び分離可能とする基板収納ケースの取付構造に関する。
【背景技術】
【０００２】
従来、例えば遊技機などの機械には、機械を制御するための制御基板を収納したケース本体が取付けられている。また、ケース本体は機械から生じるノイズなどにより制御基板が誤動作するのを防止するための遮蔽板が取付けられることがあり、ケース本体と遮蔽板からなる基板収納ケースとして機械に取付けられるものがある。
【０００３】
しかしながら、機械の少なくとも一部の検査や破損による部品交換を行う際に前記基板収納ケースが邪魔になることがあり、その場合、従来においては、基板収納ケースの取り外し作業及びその後の再取付作業に手間がかかる問題がある。特に、複数の基板収納ケースを設ける場合には基板収納ケースを配置するスペースが制限されるため、機械の検査や部品交換の際における基板収納ケースの着脱作業に、より多くの手間がかかるようになる。また、ケース本体内の制御基板などの検査や部品交換を行う場合には、一旦、基板収納ケースを外した後、更に遮蔽板を外してケース本体内の制御基板などの検査や部品交換を行うことが必要になるため、さらに多くの手間がかかるようになる。しかも、遮蔽板はケース本体にビスなどで固定されているため、遮蔽板の取り外し作業のみならず、その後の再取付作業も面倒である。
【０００４】
【特許文献１】特開２０００−１０２６６０号公報
【発明の開示】
【発明が解決しようとする課題】
【０００５】
本発明は、前記の点に鑑みなされたもので、機械や基板収納ケース内の制御基板などの検査や部品交換などを容易に行うことができる基板収納ケースの取付構造の提供を目的とする。
【課題を解決するための手段】
【０００６】
請求項１の発明は、機械の基板収納ケース取付位置に形成された基板収納ケース支持部に、基板収納ケースを取り外し可能に取付ける基板収納ケースの取付構造において、前記基板収納ケース支持部には被係合部が形成され、前記基板収納ケースは、基板を収納するケース本体と前記ケース本体に取り外し可能に取付けられた遮蔽板からなると共に、前記ケース本体と前記遮蔽板には、係合により前記遮蔽板と前記ケース本体を結合し、係合解除により前記遮蔽板と前記ケース本体を分離可能とする遮蔽板結合手段を備え、前記ケース本体と遮蔽板の何れか一方には、前記基板収納ケース支持部の被係合部に解除可能に係合する係合部が形成され、前記被係合部又は前記係合部の何れか一方には軸部が形成され、他方には前記軸部が挿入されて回動可能に保持すると共に前記軸部を抜くことが可能な抜け部を有する軸受け部が形成され、前記軸部及び前記軸受け部には、前記基板収納ケースが取付収納状態から設定保持角度回動した位置で互いに係合して前記基板収納ケースを前記設定保持角度で保持する回動規制手段と、前記基板収納ケースが設定解除角度回動した位置で前記軸部が前記抜け部に合致して前記基板収納ケースを取り外すことが可能な係合解除手段とが設けられ、前記機械の基板収納ケース取付け位置と前記基板収納ケースには、前記基板収納ケースの取付収納状態時に前記遮蔽板結合手段の係合解除を阻止し、前記基板収納ケースが取付収納状態から回動した状態時に前記遮蔽板結合手段の係合解除を可能にする取付収納状態時用遮蔽板結合解除規制手段を備えることを特徴とする。
【０００７】
請求項２の発明は、請求項１において、前記遮蔽板結合手段は、前記ケース本体と前記遮蔽板に遮蔽板結合用係合部を備え、前記遮蔽板と前記ケース本体の何れか一方を他方に沿って一方向へスライドさせた際に前記遮蔽板結合用係合部が係合し、反対方向へスライドさせた際に前記遮蔽板結合用係合部の係合が解除されるものからなり、前記取付収納状態時用遮蔽板結合解除規制手段は、前記遮蔽板と前記ケース本体のうち前記遮蔽板結合用係合部を係合する際及び係合を解除する際にスライドされる被スライド側と前記機械の基板収納ケース取付け位置に遮蔽板結合解除規制用係合部を備え、前記基板収納ケースが取付収納状態時には、前記遮蔽板結合解除規制用係合部が係合して前記被スライド側が前記遮蔽板と前記ケース本体の係合解除方向へスライドするのを阻止し、前記基板収納ケースが前記取付収納状態から回動した状態時には、前記遮蔽板結合解除規制用係合部の係合が解除されて前記被スライド側が前記遮蔽板と前記ケース本体の係合解除方向へスライドするのを可能にすることを特徴とする。
【０００８】
請求項３の発明は、請求項１又は２において、前記回動規制手段は、前記基板収納ケースが前記設定保持角度より小の角度位置から角度増加方向への回動に対して前記設定保持角度の位置で前記係合を生じず、前記設定保持角度より大の回動位置から回動角度減少方向への回動に対して前記設定保持角度の位置で前記係合を生じることを特徴とする。
【０００９】
請求項４の発明は、請求項１から３の何れか一項において、前記軸受け部には、前記軸部を回動可能に保持する軸受け孔を備えると共に、前記軸受け孔の周縁の一部に、前記軸部の通過可能な軸部着脱用開口からなる前記抜け部が前記軸受け孔の内外と通じるように切り欠き形成されており、前記基板収納ケースは前記切り欠き方向に沿って着脱することを特徴とする。
【００１０】
請求項５の発明は、請求項４において、前記軸部における前記軸受け孔に挿入される挿入部の直径方向の厚み寸法は、直交する二方向のうち一方向が他方向より小とされ、前記係合解除手段は、前記軸受け部の軸部着脱用開口が、前記軸部を前記厚み寸法の小の部分で通過可能とする一方、前記厚み寸法の大部分で通過不可とする大きさからなることを特徴とする。
【００１１】
請求項６の発明は、請求項５において、前記基板収納ケース支持部の前記被係合部に前記軸受け部が形成され、前記基板収納ケースの前記係合部に前記軸部が形成されると共に前記軸部の厚み寸法大の方向が、前記基板収納ケースに対して略平行とされ、前記軸部の厚み寸法小の方向が前記基板収納ケースに対して略垂直であることを特徴とする。
【００１２】
請求項７の発明は、請求項６において、前記軸受け部における前記軸部着脱用開口が、前記基板収納ケースの設定保持角度より大の前記設定解除角度の位置に形成されていることを特徴とする。
【００１３】
請求項８の発明は、請求項４から７の何れか一項において、前記軸部には前記軸受け孔に挿入される挿入部と前記軸受け部に挿入されない非挿入部が前記軸部の長さ方向に隣接して設けられ、前記回動規制手段は、前記軸部の非挿入部の外周に設けられた軸部側係合爪と、前記軸部の非挿入部の外周に対向するようにして前記軸受け部に形成された弾性片と、前記基板収納ケースを前記設定保持角度回動した際に前記軸部側係合爪と略対向する前記弾性片の位置に形成された軸受け部側係合爪とを備え、前記軸部側係合爪及び前記軸受け部側係合爪は、前記基板収納ケースが前記設定保持角度より小の角度から大の角度へ回動して前記設定保持角度を超える際に互いに衝突する回動角度増加時衝突面と、前記基板収納ケースが前記設定保持角度より大の角度から小の角度へ回動して前記設定保持角度に至った際に互いに衝突する回動角度減少時衝突面をそれぞれ備え、前記回動角度増加時衝突面は、前記基板収納ケースが前記設定保持角度より小の角度から大の角度への回動によって前記設定保持角度より小の側から衝突する係合爪が他方の係合爪を乗り越え易いように緩い傾斜で構成され、前記回動角度減少時衝突面は、前記基板収納ケースが前記設定保持角度より大の角度から小の角度への回動によって前記設定保持角度より大の側から衝突する係合爪が他方の係合爪を乗り越え難いように急な傾斜で構成され、前記基板収納ケースが前記設定保持角度より大の角度から小の角度方向への回動により前記両係合爪が衝突した後に、前記基板収納ケースに同方向へ更なる大きな回動力が加わった際に、前記弾性片が弾性変形して前記設定保持角度より大の側から衝突する係合爪が他方の係合爪を乗り越えるのを可能に構成されたことを特徴とする。
【００１４】
請求項９の発明は、請求項１から８の何れか一項において、前記基板収納ケースの取付収納状態が上下方向に沿う垂直状態とされ、前記基板収納ケースの設定保持角度が前記取付収納状態に対して略９０度の水平状態であることを特徴とする。
【００１５】
請求項１０の発明は、請求項１から９の何れか一項において、前記基板収納ケース取付位置に取付けられる取付板に、前記基板収納ケース支持部が前記基板収納ケースの幅と略等しい距離離れて一組立設され、前記基板収納ケースの幅方向両側の上部に前記係合部が一組設けられていることを特徴とする。
【００１６】
請求項１１の発明は、請求項１から１０の何れか一項において、前記基板収納ケース取付位置には第２の基板収納ケースが取付けられ、前記第２の基板収納ケースに前記基板収納ケースが第１の基板収納ケースとして積み重なるように配置され、前記第２の基板収納ケースと前記基板収納ケースには、前記取付収納状態時用遮蔽板結合解除規制手段が設けられていることを特徴とする。
【００１７】
請求項１２の発明は、請求項２から１１の何れか一項において、前記基板収納ケース取付位置には第２の基板収納ケースが取付けられ、前記第２の基板収納ケースに前記基板収納ケースが第１の基板収納ケースとして積み重なるように配置され、前記遮蔽板と前記ケース本体において前記遮蔽板結合用係合部を係合する際及び係合を解除する際にスライドされる被スライド側と、前記第２の基板収納ケースとに、前記取付収納状態時用遮蔽板結合解除規制手段が設けられていることを特徴とする。
【００１８】
請求項１３の発明は、請求項１１又は１２において、前記機械は遊技領域が形成された遊技盤を備え、前記遊技盤において遊技領域が形成された面とは反対の裏面側に前記第２の基板収納ケースが配置され、少なくとも前記第１の基板収納ケースが前記設定保持角度と等しい位置にあるいは前記設定保持角度より大の側に回動した場合に前記第２の基板収納ケースが一部を軸にして回動可能な構成とされ、前記第２の基板収納ケースが回動された場合に前記遊技盤の裏面側の少なくとも一部が露出することを特徴とする。
【００１９】
請求項１４の発明は、請求項１から１３の何れか一項において、前記遮蔽板に前記被係合部に対する前記係合部が形成されていることを特徴とする。
【００２０】
請求項１５の発明は、請求項１において、前記基板収納ケースが予め定められた取付収納位置に配置され、前記取付収納位置から角度増加方向へ回動し、前記設定保持角度を有する固定保持位置で前記基板収納ケースを固定保持することが可能であり、更に前記固定保持位置から角度増加方向へ回動し、前記設定解除角度を有する係合解除位置で前記基板収納ケースを着脱することが可能であり、前記基板収納ケースが前記基板収納ケース支持部の被係合部と前記基板収納ケースの係合部との係合解除位置となる前記設定解除角度とは異なる角度の位置においては前記基板収納ケースの抜けを防止する抜け防止手段が設けられていることを特徴とする。
【００２１】
請求項１６の発明は、請求項１５において、前記取付収納位置で前記遮蔽板結合手段による係合解除を阻止することにより前記ケース本体と前記遮蔽板が前記基板収納ケース取付位置に取り付けられ、前記基板収納ケースが前記取付収納位置から角度増加方向へ回動した際に前記遮蔽板結合手段による係合が解除され、前記取付収納位置とは異なる角度の位置において前記遮蔽板と前記ケース本体の分離が可能になることを特徴とする。
【発明の効果】
【００２２】
請求項１の発明によれば、基板収納ケース支持部には被係合部が形成され、基板収納ケースは、基板を収納するケース本体と前記ケース本体に取り外し可能に取付けられた遮蔽板からなると共に、前記ケース本体と前記遮蔽板には、係合により前記遮蔽板と前記ケース本体を結合し、係合解除により前記遮蔽板と前記ケース本体を分離可能とする遮蔽板結合手段を備え、前記ケース本体と遮蔽板の何れか一方には、前記基板収納ケース支持部の被係合部に解除可能に係合する係合部が形成され、前記被係合部又は前記係合部の何れか一方には軸部が形成され、他方には前記軸部が挿入されて回動可能に保持すると共に前記軸部を抜くことが可能な抜け部を有する軸受け部が形成され、前記軸部及び前記軸受け部には、前記基板収納ケースが取付収納状態から設定保持角度回動した位置で互いに係合して前記基板収納ケースを前記設定保持角度で保持する回動規制手段と、前記基板収納ケースが設定解除角度回動した位置で前記軸部が前記抜け部に合致して前記基板収納ケースを取り外すことが可能な係合解除手段とが設けられ、前記機械の基板収納ケース取付け位置と前記基板収納ケースには、前記基板収納ケースの取付収納状態時に前記遮蔽板結合手段の係合解除を阻止し、前記基板収納ケースが取付収納状態から回動した状態時に前記遮蔽板結合手段の係合解除を可能にする取付収納状態時用遮蔽板結合解除規制手段を備えることにより、機械の検査や部品交換等の際に基板収納ケースが邪魔になる場合には、基板収納ケースを設定保持角度まで回動すれば、その設定保持角度で保持固定することができるため、機械の検査や部品交換時の作業を容易にすることが可能となる。また、基板収納ケースの取り外しが必要な場合には、基板収納ケースを設定解除角度まで回動すれば基板収納ケースの取り外しが可能なため、基板収納ケースの取り外しも容易である。
【００２３】
さらに、ケース本体内の制御基板などの検査や部品交換を行う場合には、従来であれば、一旦、基板収納ケースを外した後、更に遮蔽板とケース本体とを分離させる必要があり手間がかかっていたが、請求項１の発明によれば、基板収納ケースを取付収納状態から回動した状態では、遮蔽板とケース本体の何れか一方を機械に取付けた状態で、遮蔽板とケース本体の分離作業を行うことができるため、ケース本体内の制御基板などの検査や部品交換などの作業を容易に行うことが可能となる。
【００２４】
請求項２の発明によれば、前記遮蔽板結合手段は、前記ケース本体と前記遮蔽板に遮蔽板結合用係合部を備え、前記遮蔽板と前記ケース本体の何れか一方を他方に沿って一方向へスライドさせた際に前記遮蔽板結合用係合部が係合し、反対方向へスライドさせた際に前記遮蔽板結合用係合部の係合が解除されるものからなり、前記取付収納状態時用遮蔽板結合解除規制手段は、前記遮蔽板と前記ケース本体のうち前記遮蔽板結合用係合部を係合する際及び係合を解除する際にスライドされる被スライド側と前記機械の基板収納ケース取付け位置に遮蔽板結合解除規制用係合部を備え、前記基板収納ケースが取付収納状態時には、前記遮蔽板結合解除規制用係合部が係合して前記被スライド側が前記遮蔽板と前記ケース本体の係合解除方向へスライドするのを阻止し、前記基板収納ケースが前記取付収納状態から回動した状態時には、前記遮蔽板結合解除規制用係合部の係合が解除されて前記被スライド側が前記遮蔽板と前記ケース本体の係合解除方向へスライドするのを可能にすることにより、基板収納ケースを取付収納状態から回動させた状態では、ケース本体又は遮蔽板のスライドにより、ケース本体と遮蔽板の分離及び結合を行うことができ、分離結合作業を簡単に行うことが可能となる。
【００２５】
請求項３の発明によれば、前記回動規制手段は、前記基板収納ケースが前記設定保持角度より小の角度位置から角度増加方向への回動に対して前記設定保持角度の位置で前記係合を生じず、前記設定保持角度より大の回動位置から回動角度減少方向への回動に対して前記設定保持角度の位置で前記係合を生じることにより、基板収納ケースを保持固定する際の回動と、基板収納ケースを収納する際の回動を区別することができ、確実な保持固定が可能となる。
【００２６】
請求項４の発明によれば、前記軸受け部には、前記軸部を回動可能に保持する軸受け孔を備えると共に、前記軸受け孔の周縁の一部に、前記軸部の通過可能な軸部着脱用開口からなる前記抜け部が前記軸受け孔の内外と通じるように切り欠き形成されており、前記基板収納ケースは前記切り欠き方向に沿って着脱するように構成したことにより、前記基板収納ケースの着脱を容易に行うことが可能であり、更に、基板収納ケースの着脱の確認を容易に行うことが可能となる。
【００２７】
請求項５の発明によれば、前記軸部において前記軸受け孔に挿入される挿入部の直径方向の厚み寸法は、直交する二方向のうち一方向が他方向より小とされ、前記係合解除手段は、前記軸受け部の軸部着脱用開口が、前記軸部を前記厚み寸法の小の部分で通過可能とする一方、前記厚み寸法の大部分で通過不可とすることにより、前記基板収納ケースが不用意に基板収納ケース支持部から外れるのを防ぐことが可能となる。
【００２８】
請求項６の発明によれば、前記基板収納ケース支持部の前記被係合部に前記軸受け部が形成され、前記基板収納ケースの前記係合部に前記軸部が形成されると共に前記軸部の厚み寸法大の方向が、前記基板収納ケースに対して略平行とされ、前記軸部の厚み寸法小の方向が前記基板収納ケースに対して略垂直とされたことにより、前記基板収納ケースを前記軸部着脱用開口と平行位置まで回動させれば前記基板収納ケースを取り外すことができるので、基板収納ケースの取り外し時の回動位置がわかりやすく、また基板収納ケース取付け時における基板収納ケースの角度及び軸部の厚み寸法小の位置もわかりやすく、基板収納ケースの着脱作業が容易になる。
【００２９】
請求項７の発明によれば、前記軸受け部における前記軸部着脱用開口が、前記基板収納ケースの設定保持角度より大の前記設定解除角度の位置に形成されていることにより、基板収納ケースを設定保持角度まで回動させて保持固定しようとする際の回動途中に基板収納ケースが外れるのを防止することが可能となる。
【００３０】
請求項８の発明によれば、前記回動角度増加時衝突面は、前記基板収納ケースが前記設定保持角度より小の角度から大の角度への回動によって前記設定保持角度より小の側から衝突する係合爪が他方の係合爪を乗り越え易いように緩い傾斜で構成され、前記回動角度減少時衝突面は、前記基板収納ケースが前記設定保持角度より大の角度から小の角度への回動によって前記設定保持角度より大の側から衝突する係合爪が他方の係合爪を乗り越え難いように急な傾斜で構成され、前記基板収納ケースが前記設定保持角度より大の角度から小の角度方向への回動により前記両係合爪が衝突した後に、前記基板収納ケースに同方向へ更なる大きな回動力が加わった際に、前記弾性片が弾性変形して前記設定保持角度より大の側から衝突する係合爪が他方の係合爪を乗り越えるのを可能に構成されたことにより、基板収納ケースを設定保持角度で保持固定したり、保持固定を解除して収納したりするのが容易に行えるようになる。
【００３１】
請求項９の発明によれば、前記基板収納ケースの取付収納状態が上下方向に沿う垂直状態とされ、前記基板収納ケースの設定保持角度が前記取付収納状態に対して略９０度の水平状態としたことにより、基板収納ケースの取付収納状態時に収納スペースを取る虞が減少し、機械を略垂直に設置した場合における機械の検査や部品交換等の作業を容易に行うことが可能となる。
【００３２】
請求項１０の発明によれば、基板収納ケース支持部を取付板に形成すればよいため、機械の構造に対する自由度が高まり、また基板収納ケース支持部が前記基板収納ケースの幅と略等しい距離離れて一組立設され、前記基板収納ケースの幅方向両側の上部に前記係合部が一組設けられていることにより、基板収納ケースの回動時に基板収納ケースが捻れたりする不具合を防止すると共に、基板収納ケースに対する保持固定強度を高くすることが可能となる。
【００３３】
請求項１１の発明によれば、前記基板収納ケース取付位置には第２の基板収納ケースが取付けられ、前記第２の基板収納ケースに前記基板収納ケースが第１の基板収納ケースとして積み重なるように配置され、前記第２の基板収納ケースと前記基板収納ケースには、前記取付収納状態時用遮蔽板結合解除規制手段が設けられていることにより、限られたスペースに効率よく２つの基板収納ケースを配置することができるのみならず、第１の基板収納ケースを設定保持角度まで回動させて保持固定することにより、第２の基板収納ケースに対して基板を確認したりその他の作業をしたりすることが可能となる。
【００３４】
請求項１２の発明によれば、前記基板収納ケース取付位置には第２の基板収納ケースが取付けられ、前記第２の基板収納ケースに前記基板収納ケースが第１の基板収納ケースとして積み重なるように配置され、前記遮蔽板と前記ケース本体において前記遮蔽板結合用係合部を係合する際及び係合を解除する際にスライドされる被スライド側と、前記第２の基板収納ケースとに、前記取付収納状態時用遮蔽板結合解除規制手段が設けられていることにより、第２の基板収納ケースに積み重ねられる第１の基板収納ケースについて、取付収納状態時にケース本体と遮蔽板の分離を阻止でき、取付収納状態から回動させた際にケース本体と遮蔽板の分離が可能になる。
【００３５】
請求項１３の発明によれば、機械は遊技領域が形成された遊技盤を備え、前記遊技盤において遊技領域が形成された面とは反対の裏面側に前記第２の基板収納ケースが配置され、少なくとも前記第１の基板収納ケースが前記設定保持角度と等しい位置あるいは前記設定保持角度より大の側に回動した場合に前記第２の基板収納ケースが一部を軸にして回動可能な構成とされ、前記第２の基板収納ケースが回動された場合に前記遊技盤の裏面側の少なくとも一部が露出する構成としたことにより、遊技盤の検査を容易に行うことが可能となる。
【００３６】
請求項１４の発明によれば、前記遮蔽板に前記被係合部に対する前記係合部が形成されていることにより、ケース本体のみを機械から取り外すことができ、ケース本体内の制御基板などの検査や部品交換などの作業を容易に行うことが可能となる。
【００３７】
請求項１５の発明によれば、前記基板収納ケースが予め定められた取付収納位置に配置され、前記取付収納位置から角度増加方向へ回動し、前記設定保持角度を有する固定保持位置で前記基板収納ケースを固定保持することが可能であり、更に前記固定保持位置から角度増加方向へ回動し、前記設定解除角度を有する係合解除位置で前記基板収納ケースを着脱することが可能であり、前記基板収納ケースが前記基板収納ケース支持部の被係合部と前記基板収納ケースの係合部との係合解除位置となる前記設定解除角度とは異なる角度の位置においては前記基板収納ケースの抜けを防止する抜け防止手段が設けられていることにより、基板収納ケースを設定保持角度で保持することができると共に設定解除角度で基板収納ケースを外すことができ、また設定解除角度以外では基板収納ケースを外せないようにすることができる。
【００３８】
請求項１６の発明によれば、前記取付収納位置で前記遮蔽板結合手段による係合解除を阻止することにより前記ケース本体と前記遮蔽板が前記基板収納ケース取付位置に取り付けられ、前記基板収納ケースが前記取付収納位置から角度増加方向へ回動した際に前記遮蔽板結合手段による係合が解除され、前記取付収納位置とは異なる角度の位置において前記遮蔽板と前記ケース本体の分離が可能になることにより、遮蔽板とケース本体が分離しては困る取付収納状態時には遮蔽板とケース本体の分離を防ぐことができ、分離が必要な時には基板収納ケースを取付収納位置から角度増加方向へ回動させることにより、分離を行うことが可能となる。
【発明を実施するための最良の形態】
【００３９】
以下添付の図面に基づき本発明の好適な実施形態を説明する。図１は本発明の基板収納ケースの取付構造によって基板収納ケースが取付けられた遊技機について遊技盤の釘を省略して示す正面図、図２は同遊技機の裏面図、図３は同遊技機の遊技盤に取付板を介して音声・ランプ制御基板収納ケースと主制御基板収納ケースが取付けられた状態を示す遊技盤の裏面図、図４は主制御基板収納ケースの取付収納状態における主制御基板収納ケース、表示制御基板収納ケース等の側面図である。
【００４０】
図１に示す遊技機１は、遊技媒体として遊技球を用いるパチンコ遊技機であって、遊技店において上下方向に沿う略垂直に設置される。前記遊技機１は、前枠Ｆ２の背面に遊技盤２を備える。遊技盤２の前面には、縁に遊技球の外側ガイドレール３及び内側ガイドレール４が略円形に立設され、前記内側ガイドレール４によって囲まれた遊技領域５の中心線上にその上部から下部に向かって順に表示装置６、始動口７、特別電動役物である大入賞口８、アウト口９が配設され、また上方両側にはランプ風車１０ａ，１０ｂ、その下方に普通図柄変動開始用左ゲート１１ａ及び普通図柄変動開始用右ゲート１１ｂ、その下方に左袖入賞口１２ａと右袖入賞口１２ｂ、さらには前記大入賞口８の両側に左落とし入賞口１３ａと右落とし入賞口１３ｂが配設されている。前記種々の入賞口に遊技球が入賞すると所定数の遊技球が賞品球として払い出される。なお、大当たりになると大入賞口８が開放され、遊技球が入賞し易い大当たり遊技が実行される。符号１４ａ，１４ｂは風車、Ｆ１は外枠、Ｇは前枠Ｆ２に開閉可能にヒンジで取付けられたガラス枠、１５はプリペイドカードユニットである。
【００４１】
また、前記遊技機１の前面側には、枠飾り右ランプ１６ａ、枠飾り上ランプ１６ｂ及び枠飾り左ランプ１６ｃからなるランプ装置１６、払い出された遊技球を受けるための上側球受け皿１７、該上側球受け皿１７の飽和時に遊技球を受けるための下側球受け皿１８、効果音等を発するスピーカ１９、遊技者の発射操作に応じて遊技球を遊技領域５に向けて弾発発射する発射装置２０等がそれぞれ組み付けられている。符号２１は、遊技球の発射強度を調節するための回動可能な操作ハンドルである。
【００４２】
前記発射装置２０により遊技領域５に発射された遊技球が、前記始動口７に入球したことに起因して、前記表示装置６の特別図柄表示部６ａで特別図柄が変動表示され、所定時間変動後に停止表示される。停止表示された特別図柄が大当たり特別図柄の場合、大当たり遊技が実行される。大当たり遊技では、前記大入賞口８の開閉板８ａが開放されて遊技球が入球し易くなり、大入賞口８へ遊技球が入球すると所定数の遊技球が賞品球として払い出される。なお、前記普通図柄変動開始用左ゲート１１ａ又は普通図柄変動開始用右ゲート１１ｂに遊技球が入球すると、前記表示装置６の左下部に組み込まれている普通図柄表示部６ｂで小当たり判定用の普通図柄が変動開始し、所定時間変動後に停止表示する。停止表示された普通図柄が小当たり普通図柄の場合、前記始動口７における２つの可動片７ａ，７ｂが、略垂直で入賞し難い狭小開放状態（通常状態）から略Ｖ字形（逆ハの字形）の入賞し易い拡開開放状態に変化し、可動片７ａ，７ｂ間に遊技球が入球すると所定数の遊技球が賞品球として払い出されると共に、前記のように特別図柄表示部６ａで特別図柄が変動開始する。
【００４３】
前記遊技機１の背面には、図２に示すように、遊技機１の制御のための各種の基板や装置が取付けられている。前記基板はそれぞれ単独で、あるいは複数種類まとめて基板収納ケースに収納され、基板収納ケースごと基板収納ケース取付位置に取り外し可能に取付けられている。装置や基板収納ケースの主なものを挙げると、符号２２はタンク、２３は誘導樋、２４は電源基板収納ケース、２５は発射制御基板収納ケース、２６は払出制御基板収納ケース、２７はカードインターフェース接続部、２８は払出装置である。また、前記遊技盤２における前記遊技領域５の形成された面とは反対の裏面側２ａには、図３及び図４にも示すように、表示制御基板収納ケース２９が取付けられていると共に、前記表示制御基板収納ケース２９の下方に取付板３０を介して音声・ランプ制御基板収納ケース６０と主制御基板収納ケース７０が重なって取付けられている。前記表示制御基板収納ケース２９の背面２９ａは、前記主制御基板収納ケース７０の背面７０ａよりも遊技機１の後方側に位置している。これは、近年、表示制御装置が巨大化する傾向にあるが、遊技機の平面サイズが制限されるため、前記表示制御基板収納ケース２９を遊技機１の後方側へ拡大せざるを得ないことによる。
【００４４】
本実施例では、前記取付板３０に対する前記音声・ランプ制御基板収納ケース６０及び前記主制御基板収納ケース７０の取付構造に、本発明が適用されている。以下、本実施例における前記取付板３０に対する前記音声・ランプ制御基板収納ケース６０及び前記主制御基板収納ケース７０の取付について、詳細に説明する。
【００４５】
図５は前記取付板３０に前記音声・ランプ制御基板収納ケース６０及び前記主制御基板収納ケース７０を取付けた取付収納状態において取付板を右側から眺めた斜視図、図６は同取付収納状態において取付板を左側から眺めた斜視図、図７は前記主制御基板収納ケース７０を設定保持角度に保持固定した状態において取付板を左側から眺めた斜視図、図８は同取付収納状態において取付板を右側から眺めた斜視図、図９は前記取付板３０に対して前記音声・ランプ制御基板収納ケース６０を着脱する際の斜視図、図１０は前記取付板３０に前記音声・ランプ制御基板収納ケース６０を取付けた状態の斜視図、図１１は前記音声・ランプ制御基板収納ケースの収納状態の下側側面図及びＡ部拡大断面図、図１２は前記音声・ランプ制御基板収納ケースの切り欠き部の作用を示す図である。
【００４６】
まず、前記取付板３０に対する前記音声・ランプ制御基板収納ケース６０の取付構造について説明する。前記取付板３０は、前記遊技盤２の裏面側２ａにビス等の固定手段によって、上下方向に沿う略垂直に固定される。図示の取付板３０は、略均一な厚みの長方形板状体からなるが、部分的に凹凸のあるものであっても、あるいは長方形とは異なるものでもよい。前記取付板３０には、図９及び図１０に示すように、開口部３１，３２が形成されている。本実施例における前記開口部３１，３２は、図１０のように前記音声ランプ制御基板収納ケース６０を回動させた際に、あるいは図９のように前記音声・ランプ制御基板収納ケース６０を前記取付板３０から取外した際に、前記開口部３１，３２を介して前記遊技盤２の裏面側２ａを露出させて、前記遊技盤２の裏面側２ａの装置類を点検あるいは交換可能にする。本実施例では、前記取付板３０の開口部３１，３２は、前記遊技盤２の裏面側２ａに設けられる前記始動口７の駆動装置と前記大入賞口８の駆動装置の位置に対応する。なお、前記始動口７や大入賞口８の駆動装置に限らず、その他の装置類などでもよい。
【００４７】
前記取付板３０は、裏面（遊技機後方側の面）３０ａにおける前記開口部３１，３２を覆う所要範囲が、基板収納ケース取付位置とされている。前記基板収納ケース取付位置には、前記開口部３１，３２を略中央として左右方向の一側に第２の基板収納ケース取付部３３が設けられ、他側に第２の基板収納ケース係止部３８が設けられている。前記第２の基板収納ケース取付部３３と前記第２の基板収納ケース係止部３８間の距離は、前記音声・ランプ制御基板収納ケース６０の横方向の幅と略等しい値とされている。
【００４８】
前記第２の基板収納ケース取付部３３は、中空ブロック状の基部３４と、前記基部３４に形成された２つの回動支持筒部３５，３５よりなる。前記２つの回動支持筒部３５，３５は、前記第２の基板収納ケース取付部３３の基部３４において、前記取付板３０の裏面３０ａから遠い側の面３４ａに、前記取付板３０と略平行に、かつ上下方向に離して略垂直に形成されている。
【００４９】
前記第２の基板収納ケース係止部３８は、中空ブロック状の基部３９と、前記第２の基板収納ケース係止部３８の基部３９において、前記取付板３０の裏面３０ａから遠い側の面３９ａに立設された係止孔枠部４０と、前記係止孔枠部４０によって包囲形成された係止孔４０ａとよりなる。前記係止孔４０ａは取付板３０と平行な水平方向に貫通している。
【００５０】
それに対して、前記音声・ランプ制御基板収納ケース６０は、第２の基板収納ケースに相当し、横長な長方形の半透明な箱状からなり、内部に収納された音声・ランプ制御基板を外部から確認可能となっている。前記音声・ランプ制御基板収納ケース６０は、横幅方向の一端側（図示の例では右端側）の側部に前記第２の基板収納ケース取付部３３における回動支持筒部３５，３５に挿入及び抜き取り可能な、２つの支持回動ピン６１，６１が上下に所要距離離れて下向きに、かつ前記音声・ランプ制御基板収納ケース６０と略平行に形成されている。前記支持回動ピン６１，６１は、前記回動支持筒部３５，３５に挿入可能でかつ回動可能な径とされる。
【００５１】
また、前記音声・ランプ制御基板収納ケース６０における横幅方向の他端側（図示の例では左端側）の側部には、前記取付板３０の前記第２の基板収納ケース係止部３８における係止孔４０ａと解除可能に係合する係止爪６２が形成されている。なお、前記係止爪６２は、図１１に示すように弾性片の外面に係止突部６３が形成されたものからなり、前記係止突部６３の位置で前記係止孔４０ａの周縁と係合する。
【００５２】
なお、このように、前記構成によれば、遊技領域の形成された遊技盤とは異なる取付板を設け、前記取付板に基板収納ケースを取付けると共に支持することが可能な支持部分が設けられている。それに対し、従来では、遊技盤に支持部分が形成され、遊技盤の支持部分に基板収納ケースを取付けているため、例えば、機種変更などにより遊技盤を変更する際には、次の遊技盤に、基板収納ケースの寸法に合わせて調整を行った支持部分を取付ける等、手間がかかることがあった。しかしながら、本実施例における前記構成によれば、機種変更などにより遊技盤を変更する際には、基板収納ケースの寸法に合わせた状態の支持部分が形成された取付板を遊技盤から取り外し、そのまま次の遊技盤に取付ければよいため、支持部分を調整する手間が低減し、着脱作業も容易になる。さらに、取付板なども再利用することが可能であるため、資源の節約も可能である。なお、本実施例におけるこの場合の基板収納ケースは、音声・ランプ制御基板収納ケース６０が相当し、支持部分は基部３４と回動支持筒部３５，３５よりなる第２の基板収納ケース取付部３３及び基部３９と係止孔枠部４０よりなる第２の基板収納ケース係止部３８に相当する。すなわち、取付板３０に形成された第２の基板収納ケース取付部３３と第２の基板収納ケース係止部３８との寸法は、音声・ランプ制御基板収納ケース６０の幅に合わせているため、遊技盤を変更する際に第２の基板収納ケース取付部３３と第２の基板収納ケース係止部３８の寸法を変更する必要がなく、さらに遊技盤から取付板を外し、次の遊技盤に該取付板を取付けることが可能なため、着脱作業に手間がかかる虞を低減することが可能である。
【００５３】
前記音声・ランプ制御基板収納ケース６０は、図９に示すように、略垂直に立てた状態の前記取付板３０に対して所要角度開いた状態で、前記取付板３０の上方から前記音声・ランプ制御基板収納ケース６０の支持回動ピン６１，６１を、前記取付板３０における前記第２の基板収納ケース取付部３３の回動支持筒部３５，３５に挿入して、図１０のように取付けられる。そして、前記音声・ランプ制御基板収納ケース６０を、前記支持回動ピン６１，６１を回動中心として前記取付板３０側へ回動させ、図１１に示すように、前記音声・ランプ制御基板収納ケース６０の係止爪６２を前記取付板３０の係止孔４０ａに係合させることにより、前記音声・ランプ制御基板収納ケース６０が収納された状態で固定される。前記係止爪６２と前記係止孔４０ａとの係合は、前記音声・ランプ制御基板収納ケース６０が前記取付板３０と略平行になった際に係合可能に構成される。また前記係合状態、すなわち前記音声・ランプ制御基板収納ケース６０が前記取付板３０に対して略平行状態になった際には、図１１のように、前記取付板３０の基板収納ケース係止部３８における前記基部３９の前記面３９ａに、前記音声・ランプ制御基板収納ケース６０の係止爪６２側の端部が接触して、前記音声・ランプ制御基板収納ケース６０が前記取付板３０側から支持されるように構成されている。なお、前記音声・ランプ制御基板収納ケース６０を前記取付板３０から取り外す場合は、前記取付時と逆の作業によって行われる。
【００５４】
また、図１２の１２−Ａ図に示す本実施例のように、前記音声・ランプ制御基板収納ケース６０の着脱時に、後述する第１の基板収納ケース支持部４１とコーナー部６０ｂが干渉するのを回避して、前記音声・ランプ制御基板収納ケース６０の着脱が妨げられないようにするため、前記音声・ランプ制御基板収納ケース６０の遊技機後方側の面６０ａは、前記支持回動ピン６１，６１側のコーナー部６０ｂに切り欠き部からなる窪み部６３が形成されている。なお、同１２図における１２−Ｂ図の参考例に示す音声・ランプ制御基板収納ケース６０Ａは、前記コーナー部６０ｂに切り欠き部からなる窪み部を設けなかった場合であり、その場合には、前記音声・ランプ制御基板収納ケース６０を回動させた状態で着脱しようとすると、前記音声・ランプ制御基板収納ケース６０Ａのコーナー部６０ｂが第１の基板収納ケース支持部４１と干渉して前記着脱が妨げられる。以上の構成により、音声・ランプ制御基板収納ケース６０を一旦取り外さなくても、遊技盤２の裏面側２ａの装置類に対して点検あるいは交換などを容易にかつスムーズに行うことが可能である。また、音声・ランプ制御基板収納ケース６０を着脱する際においても、容易かつスムーズに行うことが可能である。すなわち、作業の手間がかかる虞を低減することが可能である。
【００５５】
次に前記取付板３０に対する前記主制御基板収納ケース７０の取付構造について説明する。図９に示すように、前記取付板３０の前記基板収納ケース取付位置には、前記第２の基板収納ケース取付部３３と前記第２の基板収納ケース係止部３８の上方位置に、一組の第１の基板収納ケース支持部４１，４１が前記主制御基板収納ケース７０の横方向の幅と略等しい距離離れて形成されている。
【００５６】
前記第１の基板収納ケース支持部４１は、本発明における基板収納ケース支持部に相当し、本実施例では、腕部材４２と弾性片５０とで構成される。前記腕部材４２は、前記取付板３０の裏面３０ａに固定される基部が直角に屈曲した断面略Ｌ字形の金属板からなり、前記取付板３０に対して垂直に立設される。前記腕部材４２の先端部と該先端部に取付けられた前記弾性片５０とで、前記主制御基板収納ケース７０に対する被係合部４３が形成される。図１３及び図１４に示すように、前記被係合部４３には、前記腕部材４２の先端に軸受け部４４が形成されている。前記軸受け部４４には、前記取付板３０と平行に且つ水平方向に貫通した軸受け孔４５が形成され、さらには前記軸受け孔４５の周縁の一部には軸受け孔４５の内外を通じる軸部着脱用開口からなる抜け部４６が切り欠き形成されている。前記抜け部４６は、前記主制御基板収納ケース７０の着脱方向に合致させた設定解除角度ｍ１で切り欠き形成されている。本実施例では、上下方向に沿って垂直状態とされる前記取付板３０に対して下方から上方へ１３５度の角度が設定解除角度ｍ１とされている。前記抜け部４６と後述の主制御基板収納ケース７０における軸部７６の挿入部７７の構成が本実施例では前記基板収納ケース７０に対する係合解除手段及び抜け防止手段を構成している。また、前記腕部材４２の先端と基部の中間付近には、前記弾性片５０を固定するための切り起こし爪４７とビス用孔４８が形成されている。
【００５７】
前記弾性片５０は、本実施例ではプラスチックで形成され、図１４に示すように、前記腕部材４２の外面へ固定するための固定部５７が一体に形成されている。前記弾性片５０は、前記腕部材４２の前記抜け部４６を構成する軸部着脱用開口より大きく先端５０ａが開いた弾性変形可能な略Ｃ字形からなり、前記開いた先端５０ａ間に前記抜け部４６が位置するようにして前記腕部材４２の軸受け孔４５の周縁に配置される。前記弾性片５０の先端付近の内周面には、一組の軸受け部側係合爪５１，５１が略対向するように上下に形成されている。なお、前記軸受け部側係合爪５１，５１は、前記主制御基板収納ケース７０を、後述のように設定保持角度回動した際に軸部側係合爪８１，８１と略対向する前記弾性片５０の位置に形成されている。また、前記固定部５７には切り起こし爪挿入用孔５８と、ビス挿通孔５９が形成されている。前記腕部材４２の切り起こし爪４７を前記切り起こし爪挿入用孔５８に挿入し、前記腕部材４２のビス用孔４８に前記ビス挿通孔５９を位置合わせして前記ビス挿通孔５９及び前記ビス用孔４８にビスを挿入してねじ止めすることにより前記弾性片５０が前記腕部材４２の外面所定位置に固定される。更に後述するように、主制御基板収納ケース７０を回動した際に弾性片５０に外方向の力が加わった場合においても、外方向に撓むことにより生じる弾性片５０の破損や膨張の虞を、切り起し爪４７により低減することが可能である。なお、図９及び図１１に示すように、前記取付板３０の下端には、後述の主制御基板収納ケース７０を取付収納状態（取付板に対して平行状態）にした際に主制御基板収納ケース７０を係止する第１の基板収納ケース係止爪４９が形成されている。
【００５８】
なお、このように、前記構成によれば、遊技領域の形成された遊技盤とは異なる取付板を設け、前記取付板に基板収納ケースを取付けると共に支持することが可能な支持部分が設けられている。それに対し、従来では、遊技盤に支持部分が形成され、遊技盤の支持部分に基板収納ケースを取付けているため、例えば、機種変更などにより遊技盤を変更する際には、次の遊技盤に、基板収納ケースの寸法に合わせて調整を行った支持部分を取付ける等、手間がかかることがあった。しかしながら、本実施例における前記構成によれば、機種変更などにより遊技盤を変更する際には、基板収納ケースの寸法に合わせた状態の支持部分が形成された取付板を遊技盤から取り外し、そのまま次の遊技盤に取付ければよいため、支持部分を調整する手間が低減し、着脱作業も容易になる。さらに、取付板なども再利用することが可能であるため、資源の節約も可能である。なお、本実施例におけるこの場合の基板収納ケースは、主制御基板収納ケース７０が相当し、支持部分は第１の基板収納ケース支持部４１，４１と第１の基板収納ケース係止爪４９に相当する。すなわち、取付板に形成された第１の基板収納ケース支持部４１，４１間寸法及び基板収納ケース支持部４１，４１と第１の基板収納ケース係止爪４９間の寸法は、主制御基板収納ケース７０に合わせてあるため、遊技盤を変更する際に第１の基板収納ケース支持部４１，４１間寸法及び基板収納ケース支持部４１，４１と第１の基板収納ケース係止爪４９間の寸法を調整する必要がなく、さらに遊技盤から取付板を外し、次の遊技盤に該取付板を取付けることが可能なため、着脱作業に手間がかかる虞を低減することが可能である。
【００５９】
前記主制御基板収納ケース７０は、第１の基板収納ケースに相当し、本実施例では、図１５乃至図１７に示すように、横長な長方形の半透明な箱状のケース本体７１と、前記ケース本体７１における前記取付板３０を向く面に積層され、遮蔽板結合手段により前記ケース本体７１に分離可能に結合された金属製遮蔽板７３とよりなる。前記ケース本体７１には主制御基板が収納される。なお、金属製遮蔽板７３を設けることにより、機械の様々な部分から生じるノイズ等の発生による主制御基板収納ケース７０や音声・ランプ制御基板収納ケース６０内の各制御基板の誤作動などを防止することが可能である。
【００６０】
前記ケース本体７１は、裏面７１ａにおける上下（前記主制御基板収納ケース７０の取付収納状態（前記取付板３０と略平行状態）時の上下）４カ所に、ケース本体側の遮蔽板結合手段として、ケース本体側遮蔽板結合用係合部７１１が設けられている。前記ケース本体側の遮蔽板結合用係合部７１１は、ケース本体の裏面７１ａとの間に挟持空間７１１Ｓを有する略Ｌ字形の係合爪からなり、ケース本体７１の裏面７１ａに沿ってケース本体７１の左右方向から、遮蔽板７３の遮蔽板側遮蔽板結合用係合部７３１が前記挟持空間７１１Ｓに挿入係合可能にされている。
【００６１】
さらに前記ケース本体７１の裏面７１ａには、ケース本体側の取付収納状態時用遮蔽板結合解除規制手段として、ケース本体側遮蔽板結合解除規制用係合部７１３が設けられている。前記ケース本体側遮蔽板結合解除規制用係合部７１３は、上下方向に沿う直線状のリブ（突部）からなり、前記ケース本体７１の裏面７１ａにおける左右に２カ所設けられている。なお、本実施例では、前記ケース本体の裏面７１ａには、左右方向に沿う直線状のリブ（突部）７１５が平行に複数本形成されている。前記直線状リブ７１５は、前記遮蔽板７３と前記ケース本体７１の一方をスライドさせて結合及び分離を行う際に、前記遮蔽板７３の内面と直線状リブ７１５が接触して前記スライド時の摩擦抵抗を減少させ、スライドを容易にする。符号７１６は、前記ケース本体７１と前記遮蔽板７３の結合時にケース本体７１と遮蔽板７３のガタツキを防止する突部であり、前記結合時に遮蔽板７３に形成されているバネ片７３９を押圧して前記ガタツキを防ぐ。また、前記突部７１６とバネ片７３９が接触しているため、ケース本体７１の基板から発生するノイズなどを遮蔽板７３に流すことも可能である。なお、バネ片７３９は、ケース本体７１と遮蔽板７３を結合した際のケース本体７１側に向けて緩やかな傾斜を持たせて、突部７１６がバネ片７３９の傾斜部分に接触している状態となるように構成してもよい。この構成にすることにより、ケース本体７１を遮蔽板７３に対してスライドさせる場合において、突部７１６がバネ片７３９の傾斜部分に沿ってスムーズに移動する（誘導される）ため、突部７１６及びバネ片７３９にストレスが加わり難くなり、破損などの虞を低減することが可能である。さらに、バネ片７３９が傾斜を持っているため、突部７１６がバネ片７３９を押圧した状態となり、ケース本体７１と遮蔽板７３のガタツキ防止を強化することが可能であると共に基板から発生するノイズなどを確実に遮蔽板７３に流すことが可能である。
【００６２】
また、前記ケース本体７１の右側側面には、後記するように、前記主制御基板収納ケース７０が取付収納状態から遊技機の後方側へ角度を増加させるように回動した状態、あるいは前記主制御基板収納ケース７０を前記遊技機から外した状態からなる、前記ケース本体７１と前記遮蔽板７３の分離可能状態時に、前記スライドを阻止及び可能にするスライド規制用弾性係合片７１７が形成されている。前記スライド規制用弾性係合片７１７には、先端に下向きの係合爪７１８を有し、図２０に示すように、後述の遮蔽板７３の右側側壁７４ａに形成されているスライド規制用係合開口７４１の周縁に、前記ケース本体７１と前記遮蔽板７３の結合時に係合可能とされ、また前記スライド規制用弾性係合片７１７を弾性変形させることにより前記係合が解除可能とされている。
【００６３】
前記遮蔽板７３は、図１６乃至図１９に示すように、前記ケース本体７１の裏面７１ａを覆う大きさ（なお、遮蔽板７３の底面の面積は、前記ケース本体７１の裏面７１ａの面積よりも大きくされている。）からなり、前記ケース本体側遮蔽板結合用係合部７１１と対応する位置に、遮蔽板側の遮蔽板結合手段として、遮蔽板側遮蔽板結合用係合部７３１が形成されている。前記遮蔽板側遮蔽板結合用係合部７３１は、前記ケース本体側遮蔽板結合用係合部７１１の挟持空間７１１Ｓに挿入係合可能な係合爪で構成され、前記ケース本体側遮蔽板結合用係合部７１１の周縁に沿ってＬ字状の係合部配置用開口部７３１ａがケース本体側遮蔽板結合用係合部７１１を挿入配置可能に形成されている。図１８に示すように、前記係合部配置用開口部７３１ａにおけるケース本体側遮蔽板結合用係合部の先端側開口部分７３１ｂに、前記ケース本体側遮蔽板結合用係合部７１１を挿入し、ケース本体７１を右方向（又は遮蔽板７３を左方向）へスライドさせることにより、前記ケース本体側遮蔽板結合用係合部７１１の挟持空間７１１Ｓに前記遮蔽板側遮蔽板結合用係合部７３１を挿入し、図１９のように、前記ケース本体側遮蔽板結合用係合部７１１と前記遮蔽板側遮蔽板結合用係合部７３１を係合させることができ、ケース本体７１と遮蔽板７３を結合させることができる。また、前記ケース本体７１と前記遮蔽板７３の分離は、図１９に示すように、前記ケース本体７１と前記遮蔽板７３の結合状態から、図２０のように、前記スライド規制用弾性係合片７１７と遮蔽板７３のスライド規制用係合開口７４１との係合を解除し、前記ケース本体を左方向（又は右方向）へスライドさせることにより、前記遮蔽板側遮蔽板結合用係合部７３１を前記ケース本体側遮蔽板結合用係合部７１１の挟持空間７１１Ｓから前記ケース本体側遮蔽板結合用係合部の先端側開口部分７３１ｂへ移動させ、前記ケース本体側遮蔽板結合用係合部７１１と前記遮蔽板側遮蔽板結合用係合部７３１の係合を解除する。
【００６４】
また、前記遮蔽板７３には、前記直線状のリブ（突部）からなるケース本体側遮蔽板結合解除規制用係合部７１３と対応する位置に、前記ケース本体側遮蔽板結合解除規制用係合部７１３が露出する開口７３６が形成されている。前記開口７３６は、図１８のように、前記ケース本体側遮蔽板結合用係合部の先端側開口部分７３１ｂに前記ケース本体側遮蔽板結合用係合部７１１が位置する状態と、図１９のように、前記ケース本体側遮蔽板結合用係合部７１１と前記遮蔽板側遮蔽板結合解除規制用係合部７３１が係合した状態間において、前記ケース本体側遮蔽板結合解除規制用係合部７１３が露出する大きさの四角形からなる。
【００６５】
前記遮蔽板７３の開口７３６には、図７乃至図１０に示すように、前記音声・ランプ制御基板収納ケース６０の背面６０ａに形成されている基板収納ケース取付け位置側遮蔽板結合解除規制用係合部６４が、前記主制御基板収納ケース７０の取付収納状態時に、図２１に示すように挿入されて、前記ケース本体側遮蔽板結合解除規制用係合部７１３と前記基板収納ケース取付け位置側遮蔽板結合解除規制用係合部６４が係合する。これによって取付収納状態時には、前記ケース本体側遮蔽板結合用係合部７１１と前記遮蔽板側遮蔽板結合用係合部７３１の係合を解除する方向（図１９における左方向）への前記ケース本体７１のスライドを阻止し、前記ケース本体７１と前記遮蔽板７３の分離を阻止する。なお、図２１は、前記基板収納ケース７０の取付収納状態を示す図５及び図６における前記ケース本体側遮蔽板結合解除規制用係合部７１３の位置Ｆ−Ｆで切断した断面図である。また、前記基板収納ケース７０を取付収納状態から角度を増加させる方向へ回動させると、例えば図７及び図８のようにすると、前記音声・ランプ制御基板収納ケース６０の背面６０ａに形成されている基板収納ケース取付け位置側遮蔽板結合解除規制用係合部６４が、前記ケース本体側遮蔽板結合解除規制用係合部７１３から離れ、前記ケース本体側遮蔽板結合解除規制用係合部７１３と前記基板収納ケース取付け位置側遮蔽板結合解除規制用係合部６４との係合が解除され、前記ケース本体側遮蔽板結合用係合部７１１と前記遮蔽板側遮蔽板結合用係合部７３１の係合を解除する方向（図１９における左方向）への前記ケース本体７１のスライドが可能となる。なお、図１６の符号７３８は、前記ケース本体７０を前記遮蔽板７３の正しい位置に装着した際に、ケース本体７０の右側側壁と当接してケース本体位の位置決めを行う位置決め片である。なお、取付収納状態時には、音声・ランプ制御基板収納ケース６０に形成されている凹部８００に、前記４箇所のケース本体側遮蔽板結合用係合部７１１のうち１つの係合部７１１ａが嵌合し、ケース本体７１と遮蔽板７３のスライドをより確実に阻止し、前記分離の阻止をより確実に行う。また、主制御基板収納ケース７０を取付収納状態から角度を増加させる方向へ回動させると、前記凹部８００と前記係合部７１１ａの嵌合が解除される。
【００６６】
また、前記遮蔽板７３は、図１６乃至図１９及び図２２に示すように、横方向の側部の少なくとも上部（主制御基板収納ケース７０の取付収納状態における上部）が遊技機後方側へ起立して側壁７４，７４を構成し、前記遮蔽板７３の上部における前記側壁７４，７４の外面に係合部７５，７５がそれぞれ形成されている。前記係合部７５は、前記遮蔽板７３と平行な水平方向の軸部７６を備える。前記軸部７６は、前記軸受け孔４５に挿入される挿入部７７と前記軸受け孔３５に挿入されない非挿入部８０が前記軸部７６の長さ方向に隣接して設けられている。本実施例における前記軸部７６は、前記遮蔽板７３の側壁７４，７４に固定される軸部７６の基部側が前記挿入部７７、それに対して軸部７６の先端側が前記非挿入部８０とされ、前記非挿入部８０から前記挿入部７７に挿通したビスＢにより前記側壁７４の外面に固定されている。符号７８は前記軸部７６に形成されたビス挿通用孔であり、前記挿入部７７から前記非挿入部８０の外面まで一連に貫通形成されている。なお、前記遮蔽板７３の下端には、前記主制御基板収納ケース７０を取付収納状態（前記取付板３０と略平行状態）とした際に、前記取付板３０の第１の基板収納ケース係止爪４９と係合する係止部７３ａが形成されている。この第１の基板収納ケース係止爪４９と係止部７３ａにより、主制御基板収納ケース７０が取付収納状態にある場合に主制御基板収納ケース７０を取付板３０に対して固定することが可能である。
【００６７】
前記挿入部７７は、直径方向の厚み寸法が、直交する二方向Ｔ１，Ｔ２のうち一方向Ｔ１の寸法ｎ１が、他方向Ｔ２の寸法ｎ２よりも小とされている。図示の例における前記挿入部７７は、断面円形の柱状体における一直径方向の外周側面を平面７９で構成し、前記平面７９と直交する方向を前記Ｔ１とすると共に同方向Ｔ１の厚み寸法を前記ｎ１、前記平面７９と平行な方向を前記Ｔ２とすると共に同方向Ｔ２の厚み寸法を前記ｎ２とした。
【００６８】
前記軸部７６における挿入部７７の直径方向の厚み寸法と、前記取付板３０の前記第１の基板収納ケース支持部４１における前記軸受け孔４５及び前記軸部着脱用開口からなる抜け部４６の寸法的な関係を、図１３、図１４、図２２〜図２５を用いて次に示す。前記軸部７６における挿入部７７と前記軸受け孔４５については、前記挿入部７７が前記軸受け孔４５内に保持されて回動可能なように、前記挿入部７７における厚みが大方向Ｔ２の寸法ｎ２が前記軸受け孔４５の直径ｄ１と等しいあるいは僅かに大とされる。また、前記軸部７６における挿入部７７と前記軸部着脱用開口からなる抜け部４６のとの関係については、前記軸部着脱用開口からなる抜け部４６を、前記挿入部７７が前記Ｔ１方向の厚み寸法の小の部分７７ａ，７７ａで通過可能であり、前記Ｔ２方向の厚み寸法大の部分７７ｂ，７７ｂで通過不可となるように、前記抜け部４６を構成する前記軸部着脱用開口の開口寸法ｅ１と、前記挿入部７７におけるＴ１方向の厚み寸法ｎ１及びＴ２方向の厚み寸法ｎ２が、ｎ１≦ｅ１＜ｎ２、とされる。ｅ１とｄ１の関係は、ｅ１＜ｄ１、である。なお、前記抜け部４６及び前記軸部７６の挿入部７７における厚み寸法大の方向Ｔ２が前記基板収納ケース７０に対して平行（前記基板収納ケース７０の上下幅方向と平行）とされ、前記厚み寸法小の方向Ｔ１が前記基板収納ケース７０に対して垂直（前記厚み寸法小の方向Ｔ１が前記基板収納ケース７０厚み方向）とされる。なお、以上の構成が本請求項の係合解除手段及び抜け防止手段に相当する。すなわち、主制御基板収納ケース７０を取付け収納状態と着脱状態時（本実施例では１３５度の設定解除角度状態時）の間を回動した場合においても、主制御基板収納ケース７０を取付板３０から取り外すことが不可能であり、着脱状態時（本実施例では１３５度の設定解除角度状態時）に主制御基板収納ケース７０を取付板３０において着脱することが可能な構成である。
【００６９】
前記軸部７６における前記非挿入部８０は、本実施例では前記軸部７６の外側端部に設けられた略円盤状からなり、外周に軸部側係合爪８１，８１と、仮保持爪８５，８５が所定間隔で形成されている。
【００７０】
前記軸部側係合爪８１は、図６、図７及び図２７の２７−Ａ図に示すように、前記主制御基板収納ケース７０を設定保持角度ｍ２の固定保持位置、本実施例では前記垂直の取付板３０に対して９０度となる水平状態に保持可能にするものであり、図２３〜図２４の２４−Ａ図に示すように、前記主制御基板収納ケース７０が前記設定保持角度（本実施例では９０°）より大の角度位置から小の角度位置へ向けて角度減少方向に回動する際、前記設定保持角度（本実施例では９０°）に至った時に、前記取付板３０における前記第１の基板収納ケース支持部４１に設けられている前記弾性片５０の軸受け部側係合爪５１と係合して、前記主制御基板収納ケース７０がさらに下方へ回動するのを阻止して保持固定する。また、逆方向への回動、すなわち、前記設定保持角度（本実施例では９０°）より小の角度位置から大の角度位置へ向けて角度増加方向に前記主制御基板収納ケース７０を回動させる際には、前記設定保持角度（本実施例では９０°）位置で前記軸部側係合爪８１が前記弾性片５０の軸受け部側係合爪５１と係合を生じず、前記主制御基板収納ケース７０を更に角度増加方向へ回動可能にする。なお、前記軸部側係合爪８１、前記弾性片５０、前記軸受け部側係合爪５１によって回動規制手段を以下のように構成する。なお、ここで角度増加方向とは、主制御基板収納ケース７０を取付収納状態から着脱状態（本実施例では１３５度の設定解除角度状態）まで開く方向であり、角度減少方向とは、角度増加方向と逆、すなわち、主制御基板収納ケース７０を着脱状態（本実施例では１３５度の設定解除角度状態）から取付収納状態へ閉じる方向を意味する。
【００７１】
前記主制御基板ケース７０の回動及び前記設定保持角度ｍ２（本実施例では９０°）での保持固定を可能とするため、前記軸部側係合爪８１と前記軸受け部側係合爪５１は次の構成からなる。
【００７２】
前記軸部側係合爪８１と前記軸受け部側係合爪５１は、前記主制御基板収納ケース７０が前記設定保持角度ｍ２より小の角度から大の角度へ回動して前記設定保持角度ｍ２を超える際に互いに衝突する回動角度増加時衝突面８２，５２と、前記主制御基板収納ケース７０が前記設定保持角度ｍ２より大の角度から小の角度へ回動して前記設定保持角度ｍ２に至った際に互いに衝突する回動角度減少時衝突面８３，５３を有する。
【００７３】
前記回動角度増加時衝突面８２，５２は、前記主制御基板収納ケース７０が角度増加方向へ回動して前記設定保持角度ｍ２の位置で衝突した際に、前記軸部側係合爪８１が前記軸受け部側係合爪５１を容易に乗り越えて前記主制御基板収納ケース７０が更に回動可能な緩い傾斜（緩い円弧を含む）で構成されている。なお、前記緩やかな傾斜の程度は、前記角度増加方向へ前記主制御基板収納ケース７０が回動して前記設定保持角度ｍ２を超える際に、前記弾性片５０の弾性変形によって前記軸部側係合爪８１が前記軸受け部側係合爪５１を容易に乗り越え可能な範囲で傾斜角度（円弧状態を含む）が、例えば６０°以下等の範囲で決定される。以上の緩やかな傾斜と弾性片５０の材質の特徴（例えば撓みなどの利用）により、比較的大きな力を加えることなくスムーズに角度増加方向へ主制御基板収納ケース７０を前記設定保持角度まで回動することが可能であり、弾性片５０等に大きな力が加わることにより破損する虞を低減することが可能である。
【００７４】
それに対して、前記回動角度減少時衝突面８３，５３は、前記主制御基板収納ケース７０が前記設定保持角度ｍ２より大の角度から小の角度へ回動して前記設定保持角度ｍ２に至った際に、前記軸部側回動角度減少時衝突面８３が前記軸受け部側回動角度減少時衝突面５３と係合して、前記軸部側係合爪８１が前記軸受け部側係合爪５１を乗り越え難いように、急な傾斜（円弧を含む）で構成されている。具体的には、前記回動角度減少時衝突面８３，５３は、前記制御基板収納ケース７０が自重で前記設定保持角度ｍ２（本実施例では９０度）から下方（角度減少方向）へ自由回動するのを阻止可能な程度の急な傾斜とされ、さらには前記設定保持角度ｍ２で保持固定されている前記主制御基板収納ケース７０に、下方への回動力を作業者が加えることにより、前記主制御基板収納ケース７０に自重による回動力よりも更なる大きな回動力が加わった際に、前記弾性片５０の弾性変形によって前記軸部側係合爪８１が前記軸受け部側係合爪５１を乗り越え可能な傾斜、例えば約７０〜９０度の範囲で決定される。なお、前記弾性片５０の剛性については、前記設定保持角度での前記主制御基板収納ケース７０の保持固定や、前記回動角度増加方向への前記主制御基板収納ケース７０の回動時における前記設定保持角度を超える回動を可能にする剛性とされる。
【００７５】
さらに本実施例では、前記取付板３０と平行な取付収納状態で前記主制御基板収納ケース７０を仮保持する仮保持爪８５が前記軸部７６における前記非挿入部８０の軸部側係合爪８１，８１間に形成されている。前記仮保持爪８５は、前記主制御基板収納ケース７０が前記平行な取付収納状態時に、前記弾性片５０の軸受け部側係合爪５１と衝突して前記主制御基板収納ケース７０を保持し、前記主制御基板収納ケース７０に角度増加方向へ回動させる力を加えることにより、前記弾性片５０の軸受け部側係合爪５１を乗り越え、前記主制御基板収納ケース７０の回動を可能にする。なお、前記仮保持爪８５は緩やかな傾斜に構成されていることと弾性片５０の材質の特徴（例えば、撓みなどの利用）により、比較的大きな力を加えることなくスムーズに角度増加方向あるいは角度減少方向へ主制御基板収納ケース７０を前記平行な取付収納状態あるいは前記設定保持角度まで回動することが可能であり、弾性片５０等に大きな力が加わることにより破損する虞を低減することが可能である。また、前記仮保持爪８５と第１の基板収納ケース係止爪４９と係止部７３ａにより、主制御基板収納ケース７０を取付板３０に対して確実に固定して取付収納することが可能となる。なお、本実施例における、前記設定保持角度ｍ２において主制御基板収納ケース７０を固定するための軸部側係合爪８１と前記平行の取付収納状態時に主制御基板収納ケース７０を仮保持するための仮保持爪８５を設けた構成以外に、軸部側係合爪８１と仮保持爪８５間に中間保持爪を設けて、中間保持爪と軸受け部側係合爪５１を衝突させることにより、平行の取付収納状態時と前記設定保持角度ｍ２間の任意の角度（例えば３０度）の位置において主制御基板収納ケース７０を仮固定するようにしてもよい。
【００７６】
前記主制御基板収納ケース７０の取付は、まず、前記音声・ランプ制御基板収納ケース６０を前記取付板３０に取付けた後に、図２６の２６−Ａ及び２６−Ｂのように、前記主制御基板収納ケース７０を前記取付板３０に対して設定解除角度ｍ１（本実施例では１３５度）の係合解除位置として、前記取付板３０の軸受け部４４の抜け部４６から軸受け穴４５に、前記主制御基板収納ケース７０の軸部７６における挿入部７７を挿入する（図２３の２３−Ａ）。そして、前記主制御基板収納ケース７０を下方へ回動させる（図２３の２３−Ｂ）。その際、図２７の２７−Ａに示す前記設定保持角度ｍ２（本実施例では９０度）位置に至ると、図２４の２４−Ａに示すように、前記軸受け部側係合爪５１と軸部側係合爪８１が係合して前記主制御基板収納ケース７０が保持固定される。前記設定保持固定状態における前記主制御基板収納ケース７０の先端側を下方へ押して、前記主制御基板収納ケース７０を下方へ回動させる（図２４の２４−Ｂ）。そして、図２７の２７−Ｂのように前記仮保持爪８５が軸部受け部側係合爪５１を乗り越えて仮保持される状態となり、それにより前記主制御基板収納ケース７０は前記取付板３０と平行の取付収納位置に配置され、取付収納状態とされる（図２５）。前記取付収納状態の位置では、前記第１の基板収納ケース係止爪４９に前記主制御基板収納ケース７０の係止部７３ａを係合させ、前記主制御基板収納ケース７０を固定する。これによって、前記主制御基板収納ケース（第１の基板収納ケース）７０が前記音声・ランプ制御基板収納ケース（第２の基板収納ケース）に重ねて配置される。
【００７７】
それに対して、前記主制御基板収納ケース７０を取り外す際には、図２７の２７−Ｂに示す前記取付収納状態において、前記第１の基板収納ケース係止爪４９と前記主制御基板収納ケース７０の係止部７３ａの係合を解除し、前記主制御基板収納ケース７０を前記取付収納位置から上方へ回動させる。そして、前記設定保持角度ｍ２（本実施例では９０度）を超えて、図２６の２６−Ｂに示す設定解除角度ｍ１（本実施例では１３５度）の係合解除位置まで回動させる（図２３の２３−Ａ）。これによって、前記軸受け部４４の前記抜け部４６と、前記主制御基板収納ケース７０の軸部７６における挿入部７７が合致する。そして、前記設定解除角度ｍ１（本実施例では１３５度）の係合解除位置にある前記主制御基板収納ケース７０を、図２６の２６−Ａのように前記取付板３０から離す方向へ引き、前記軸受け部４４の軸受け穴４５から、前記主制御基板収納ケース７０の軸部７６における挿入部７７を抜き取る。
【００７８】
また、前記音声・ランプ制御基板収納ケース６０の検査を行う際には、前記主制御基板収納ケース７０を、図２７の２７−Ａに示すように、前記取付収納状態から前記設定保持角度ｍ２（本実施例では９０度）まで回動して、前記設定保持角度ｍ２で前記主制御基板収納ケース７０を保持固定する。これによって、前記音声・ランプ制御基板収納ケース６０が露出し、その状態で前記音声・ランプ制御基板収納ケース６０の検査が可能となる。なお、前記主制御基板７０を設定保持角度ｍ２に保持固定した状態で、あるいは前記設定保持角度ｍ２より大の方向へ回動させた状態で、または前記主制御基板７０を前記取付板３０から外した状態で、図１０に示すように、前記音声・ランプ制御基板収納ケース６０を回動させれば、前記取付板３０の前記開口部３１，３２から、遊技盤２の裏面側が露出し、遊技盤裏側の装置等を検査することができる。以上まとめると、基板収納ケース（本実施例では主制御基板収納ケース７０）が、予め定められた取付収納位置に配置されて（本実施例では平行な取付収納状態にされて）、前記取付収納位置から角度増加方向（本実施例では平行な取付収納状態から着脱状態へ開く方向）へ回動し、設定保持角度（本実施例ではｍ２、詳しくは９０度）を有する固定保持位置で基板収納ケースを固定保持することが可能であり、更に固定保持位置から角度増加方向へ回動し、設置解除角度（本実施例ではｍ１、詳しくは１３５度）を有する係合解除位置で基板収納ケースを着脱することが可能であり、基板収納ケースが係合解除位置の設定解除角度とは異なる角度（詳しくは１３５度以外）の位置においては抜け防止手段により基板収納ケースの抜けを防止している。
【００７９】
また、図２８の２８−Ａに示すように、前記主制御基板収納ケース７０を前記設定解除角度（本実施例では１３５度）まで上方へ回動させると、前記主制御基板収納ケース７０の上方位置にある前記表示制御基板収納ケース２９と前記主制御基板収納ケース７０がＪの部分で衝突し、前記主制御基板収納ケース７０の取り外し作業がしづらい場合には、次のようにする。すなわち、図２９の２９−Ａに示す取付収納状態から、前記主制御基板収納ケース７０を角度の増加する上方へ回動させて図２９の２９−Ｂに示す設定保持角度（本時実施例では９０度の水平）とし、次に、その状態で前記ケース本体７１を前記分離方向（本実施例では左方向）へスライドさせて図２９の２９−Ｃのように前記ケース本体７１を前記遮蔽板７３から分離させる。その後、図２８の２８−Ｂのように、前記遮蔽板７３をさらに角度の増加する上方へ回動させて前記設定解除角度（本実施例では１３５度）にし、図２８の２８−Ｃのように前記遮蔽板７３を外す。その際、遮蔽板７３にはケース本体７１が存在しないため、前記表示制御基板収納ケース２９に邪魔されることなく前記遮蔽板７３を外すことができる。なお、本実施例では、設定保持角度において、ケース本体７１を遮蔽板７３から分離させる構成にしているが、それに限るものではなく、取付収納状態時以外であり、取り外し作業がしづらくない角度であれば、どの角度でケース本体７１を遮蔽板７３から分離させてもよい。
【００８０】
本発明は、このように構成したことによって、前記基板収納ケースの着脱を容易に行うことができると共に、前記基板収納ケースを設定保持角度に保持固定して機械の検査等を容易に行うことができる。また、基板収納ケースを設定解除角度まで回動すれば、基板収納ケースの取り外しが可能なため、基板収納ケースの取り外しも容易である。逆に基板収納ケースを設定解除角度まで回動しなければ、基板収納ケースの着脱ができないため、基板収納ケースが着脱されているかの確認を確実に行うことも可能であると共に機械に対して不正行為を行おうとする者が基板収納ケースを外そうとしても、余裕を持って着脱することができないため、不正行為を防止したり、不正行為の気持ちを低下させたりすることが可能である。
【００８１】
さらに、本発明によれば、遮蔽板とケース本体が分離されては困る基板収納ケースの取付収納状態時には、遮蔽板とケース本体の分離を阻止することができ、それによって基板収納ケース取付け位置に遮蔽板とケース本体が取付けられ、また、ケース本体内の基板や部品の点検交換等の際には、基板収納ケースの取付収納状態から角度増加方向へ回動させればケース本体と遮蔽板の分離が可能となり、しかも、他の大きな基板収納ケースが邪魔になって基板収納ケースごとの着脱作業がしづらい場合には、基板収納ケースを取付収納状態から回動させ、その状態でケース本体と遮蔽板を分離させて、まず一方のみを取り外し、その後残りを外すことによって、基板収納ケースの取り外しを容易に行うことができる。
【００８２】
以上により、特に請求項１に記載のように、基板収納ケース支持部には、被係合部が形成され、基板収納ケースは、基板を収納するケース本体と前記ケース本体に取り外し可能に取付けられた遮蔽板からなると共に、前記ケース本体と前記遮蔽板には、係合により前記遮蔽板と前記ケース本体を結合し、係合解除により前記遮蔽板と前記ケース本体を分離可能とする遮蔽板結合手段を備え、前記ケース本体と遮蔽板の何れか一方には、前記基板収納ケース支持部の被係合部に解除可能に係合する係合部が形成され、前記被係合部又は前記係合部の何れか一方には軸部が形成され、他方には前記軸部が挿入されて回動可能に保持すると共に前記軸部を抜くことが可能な抜け部を有する軸受け部が形成され、前記軸部及び前記軸受け部には、前記基板収納ケースが取付収納状態から設定保持角度回動した位置で互いに係合して前記基板収納ケースを前記設定保持角度で保持する回動規制手段と、前記基板収納ケースが設定解除角度回動した位置で前記軸部が前記抜け部に合致して前記基板収納ケースを取り外すことが可能な係合解除手段とが設けられ、前記機械の基板収納ケース取付け位置と前記基板収納ケースには、前記基板収納ケースの取付収納状態時に前記遮蔽板結合手段の係合解除を阻止し、前記基板収納ケースが取付収納状態から回動した状態時に前記遮蔽板結合手段の係合解除を可能にする取付収納状態時用遮蔽板結合解除規制手段を備える構成としたことにより、機械の検査や部品交換等の際に基板収納ケースが邪魔になる場合には、基板収納ケースを設定保持角度まで回動すれば、その設定保持角度で保持固定することができるため、機械の検査や部品交換時の作業を容易にすることが可能となる。また、基板収納ケースの取り外しが必要な場合には、基板収納ケースを設定解除角度まで回動すれば基板収納ケースの取り外しが可能なため、基板収納ケースの取り外しも容易である。
【００８３】
さらに、ケース本体内の制御基板などの検査や部品交換を行う場合には、従来であれば、一旦、基板収納ケースを外した後、更に遮蔽板とケース本体とを分離させる必要があり手間がかかっていたが、本発明によれば、基板収納ケースを取付収納状態から回動した状態では、遮蔽板とケース本体の何れか一方を機械に取付けた状態で、遮蔽板とケース本体の分離作業を行うことができるため、ケース本体内の制御基板などの検査や部品交換などの作業を容易に行うことが可能となる。特に、近年では、各制御装置の配置スペースが制限される中、図柄制御装置などの巨大化に伴い、従来では、例えば、主制御基板収納ケースを取り外す際に、主制御基板ケースのケース本体が表示制御基板収納ケースに接触し、取り外しが困難になる虞があるが、本発明によれば、基板収納ケースを取付収納状態から回動させた状態では、基板収納ケースを機械に取付けた状態で遮蔽板とケース本体の分離が可能なため、基板収納ケースが他の基板収納ケースと接触しない位置で、遮蔽板とケース本体の分離を行うことができ、ケース本体内の制御基板などの検査や部品交換などの作業を容易に行うことが可能となる。また、基板収納ケースの取付収納状態時においてはケース本体と遮蔽板の分離が阻止されるため、基板収納ケースの取付収納状態時、すなわち機械の使用時等、ケース本体と遮蔽板が分離しては困る状態時にケース本体と遮蔽板の分離を防ぐことが可能となる。
【００８４】
なお、本発明は、前記の実施例に限定されるものではなく、本発明の趣旨を逸脱しない範囲で変更可能である。例えば、前記設定保持角度及び設定解除角度は前記の値に限定されず、前記設定保持角度と設定解除角度が異なる値であればよい。特に、前記設定保持角度よりも前記設定解除角度を大にするのが好ましく、その場合、基板収納ケースを設定保持角度で保持するための回動途中に基板収納ケースが外れるおそれを無くすことができる。また、基板収納ケース（第１の基板収納ケース）は主制御基板を収納するものに限られず、さらに第２の基板収納ケースは音声・ランプ制御基板を収納するものに限られるものではない。
【００８５】
また、本実施例では遮蔽板に軸部を形成したが、ケース本体に形成してもよい。その場合、基板収納ケースが取付収納状態から回動した状態におけるケース本体と遮蔽板の分離は、遮蔽板がスライドされることになり、遮蔽板が被スライド側となる。さらに、本実施例では、取付板に基板収納ケース支持部を設けたが、直接に機械本体の裏面や遊技盤の裏面、あるいは遊技領域に設けられた各入賞口から入賞した遊技球やアウト口から排出された遊技球を一旦遊技盤の裏面側に集合させる集合板に基板収納ケース支持部を設けてもよい。さらにまた、前記遮蔽板結合手段、前記取付収納状態時用遮蔽板結合解除規制手段は、本実施例に限定されるものではなく、他の構造からなるものであってもよい。また、基板収納ケース取付け位置側遮蔽板結合解除規制用係合部は、第２の基板収納ケースに設ける代わりに、取付板や直接機械本体の裏面、あるいは遊技盤の裏面に設けてもよい。機械は遊技機に限定されず、他の機械であってもよい。
【図面の簡単な説明】
【００８６】
【図１】本発明の基板収納ケースの取付構造によって基板収納ケースが取付けられた遊技機の正面図である。
【図２】同遊技機の裏面図である。
【図３】同遊技機の遊技盤に取付板を介して音声・ランプ制御基板収納ケース（第１の基板収納ケース）と主制御基板収納ケース（第２の基板収納ケース）が取付けられた状態を示す遊技盤の裏面図である。
【図４】主制御基板収納ケースの取付収納状態における主制御基板収納ケース、表示制御基板収納ケース等の側面図である。
【図５】取付板に音声・ランプ制御基板収納ケース及び主制御基板収納ケースを取付けた状態において一側から眺めた斜視図である。
【図６】同取付状態において他側から眺めた斜視図である。
【図７】主制御基板収納ケースを設定保持角度に保持固定した状態の一側斜視図である。
【図８】主制御基板収納ケースを設定保持角度に保持固定した状態の他側斜視図である。
【図９】取付板に対して音声・ランプ制御基板収納ケースを着脱する際の斜視図である。
【図１０】取付板に音声・ランプ制御基板収納ケースを取付けた状態の斜視図である。
【図１１】音声・ランプ制御基板収納ケースの収納状態の下側側面図及びＡ部拡大断面図である。
【図１２】音声・ランプ制御基板収納ケースの切り欠き部の作用を示す図である。
【図１３】第１の基板収納ケース支持部の側面図である。
【図１４】第１の基板収納ケース支持部の分解図である。
【図１５】主制御基板収納ケースの斜視図である。
【図１６】主制御基板収納ケースを分解して一側から眺めた斜視図である。
【図１７】主制御基板収納ケースを分解して他側から眺めた斜視図である。
【図１８】ケース本体と遮蔽板の結合時のスライドを説明する平面図である。
【図１９】ケース本体と遮蔽板の分離時のスライドを説明する平面図である。
【図２０】スライド規制用弾性係合片の係合及び係合解除を示す断面図である。
【図２１】図５及び図６のＦ−Ｆ断面図である。
【図２２】係合部の斜視図である。
【図２３】設定解除角度状態と設定解除角度から９０度間の係合部と被係合部の状態を示す図である。
【図２４】設定保持角度の９０度から０度間の係合部と被係合部の状態を示す図である。
【図２５】取付収納状態の係合部と被係合部の状態を示す図である。
【図２６】主制御基板収納ケースを着脱する際を示す側面図である。
【図２７】主制御基板収納ケースにおける設定保持角度状態と取付収納状態を示す側面図である。
【図２８】表示制御基板収納ケースが主制御基板収納ケースの取り外しの邪魔になる場合の取り外しを示す側面図である。
【図２９】ケース本体を取り外す際を示す側面図である。
【符号の説明】
【００８７】
１  遊技機
２  遊技盤
２ａ  遊技盤の裏面側
３０  取付板
４１  第１の基板収納ケース支持部
４３  被係合部
４４  軸受け部
４５  軸受け孔
４６  抜け部
５０  弾性片
５１  軸受け部側係合爪
５２，８２  回動角度増加時衝突面
５３，８３  回動角度減少時衝突面
６０  音声・ランプ制御基板収納ケース（第２の制御基板収納ケース）
６４  基板収納ケース取付け位置側遮蔽板結合解除規制用係合部
７０  主制御基板収納ケース（第１の制御基板収納ケース）
７１  ケース本体
７１１  ケース本体側遮蔽板結合用係合部
７１３  ケース本体側遮蔽板結合解除規制用係合部
７３  遮蔽板
７３１  遮蔽板側遮蔽板結合用係合部
７６  軸部
７７  挿入部
８０  被挿入部
【図１】
2005334526.tif 000003
【図２】
2005334526.tif 000004
【図３】
2005334526.tif 000005
【図４】
2005334526.tif 000006
【図５】
2005334526.tif 000007
【図６】
2005334526.tif 000008
【図７】
2005334526.tif 000009
【図８】
2005334526.tif 000010
【図９】
2005334526.tif 000011
【図１０】
2005334526.tif 000012
【図１１】
2005334526.tif 000013
【図１２】
2005334526.tif 000014
【図１３】
2005334526.tif 000015
【図１４】
2005334526.tif 000016
【図１５】
2005334526.tif 000017
【図１６】
2005334526.tif 000018
【図１７】
2005334526.tif 000019
【図１８】
2005334526.tif 000020
【図１９】
2005334526.tif 000021
【図２０】
2005334526.tif 000022
【図２１】
2005334526.tif 000023
【図２２】
2005334526.tif 000024
【図２３】
2005334526.tif 000025
【図２４】
2005334526.tif 000026
【図２５】
2005334526.tif 000027
【図２６】
2005334526.tif 000028
【図２７】
2005334526.tif 000029
【図２８】
2005334526.tif 000030
【図２９】
2005334526.tif 000031